(57)【要約】【課題】片手でハンドルユニットと掃除機本体との係合を解除できるとともに、誤操作によるハンドルユニットと掃除機本体との係合の誤解除を防ぐことができるアップライト型電気掃除機を提供する。【解決手段】掃除機本体に着脱自在に取り付けられるハンドルユニットと、ハンドルユニットが掃除機本体に取り付けられた際にハンドルユニットと係合し、ハンドルユニットを掃除機本体に保持するロック部と、操作端はハンドルユニットの握り部付近に設けられており、ハンドルユニットと掃除機本体との係合を解除できる着脱ユニットと、着脱ユニットに設けられ、掃除機本体と手元ハンドルとの間に引っ張る力が加えられた時、着脱ユニットの動作を無効にするロック解除防止突起とを備えるようにする。【選択図】図２
2014223109.tif 000002
【特許請求の範囲】
【請求項１】
吸引風を発生させる電動送風機と、前記電動送風機で発生された吸引風によって吸引された塵埃を捕集する集塵部と、を有する掃除機本体と、
前記掃除機本体の下端に接続されたノズル体と、一端が前記掃除機本体に接続されたホースと、前記ホースの他端に取り付けられ、前記掃除機本体に着脱自在に取り付けられるハンドルユニットと、前記掃除機本体に設けられており、前記ハンドルユニットが前記掃除機本体に取り付けられた際に前記ハンドルユニットと係合し、前記ハンドルユニットを前記掃除機本体に保持するロック部と、前記ハンドルユニットに設けられており、前記ハンドルユニットと前記ロック部との係合を解除する着脱ユニットと、前記着脱ユニットに設けられており、前記ハンドルユニットの握り部付近に位置するレバーと、を備え、
前記掃除機本体に前記ハンドルユニットが取り付けられた状態において、前記レバーを操作することによって、前記ハンドルユニットと前記ロック部との係合を解除することを特徴とする電気掃除機。
【請求項２】
前記ロック部にはロック解除防止突起が設けられており、前記掃除機本体に挿入された前記ハンドルユニットの先端部分を収納するホルダーは前記掃除機本体に固定され前記ハンドルユニットと前記ロック部と係合された後、前記ハンドルユニットと前記掃除機本体の間に引っ張る力が生じた場合、前記ロック解除防止突起は前記ホルダーと係合になり、前記着脱ユニットは前記係合を解除する動作が無効になることを特徴とする請求項１に記載の電気掃除機。
【請求項３】
前記着脱ユニットは、前記レバーと、前記レバーと連動する第１連結部と第２連結部を含んで構成されており、前記第１連結部に所定弾性を有する調節バネが設けられており、前記ロック解除防止突起と前記ホルダーと係合されていない状態において、前記レバーの作動範囲内に、前記着脱ユニットは前記掃除機本体と前記ロック部との係合を解除できる能力を有するとともに、前記ロック解除防止突起と前記ホルダーと係合された状態において、前記調節バネは前記着脱ユニットに加えられた力を吸収し、前記着脱ユニット及び前記ロック部を外力から保護することができることを特徴とする請求項１または請求項２に記載の電気掃除機。
【請求項４】
前記ロック部の前記ホルダーでの摺動方向と前記ハンドルユニットの前記ホルダーでの摺動方向と所定角度をなすように構成されることを特徴とする請求項１または請求項２に記載の電気掃除機。
【請求項５】
前記レバーに復位バネは取り付けられており、前記復位バネにより前記レバーは常に収納位置へ移動する押し力を受け、この押し力は前記第１連結部を介して、前記第２連結部へ伝達され、前記第２連結部は前記ロック部と接触しない位置関係を維持することができることを特徴とする請求項３に記載の電気掃除機。
【請求項６】
前記第１連結部に前記調節バネを収納する調節バネカバーを設けられており、前記レバーは収納位置にある時、前記レバーの他端は前記バネカバーの一端と接触する位置関係を有することを特徴とする請求項３または請求項５に記載の電気掃除機。
【発明の詳細な説明】
【技術分野】
【０００１】
本発明は、ノズル体が掃除機本体の下端に接続され、掃除機本体の上端に着脱自在のハンドルユニットが装着されるアップライト型電気掃除機のような、電気掃除機に関するものである。
【背景技術】
【０００２】
アップライト型電気掃除機は、吸引風を発生させる電動送風機と、電動送風機で発生された吸引風によって吸引された塵埃を捕集する集塵部を内蔵し、掃除機本体の下端にノズル体が接続され、掃除機本体の上端にハンドルユニットが装着され、このハンドルユニットに設けられた手元ハンドルを操作することで、ノズル体が掃除機本体と共に床面に沿って移動され、床面を清掃することができる。
【０００３】
このようなアップライト型電気掃除機は、隙間など床面以外の清掃を対応するために、掃除機本体の上端に取り付けられたハンドルユニットは、掃除機本体に対して自在に着脱できるものが提案された。
【０００４】
この着脱自在を実現するために、掃除機本体上面のハンドルユニット装着場所の近傍に、ハンドルユニットを取り付ける着脱ボタンが設置されたものが一般的である。隙間など床面以外の清掃を行う時、片手で手元ハンドルの握り部を保持し、片手で掃除機本体上面の着脱ボタンを押しながら、手元ハンドルを引き上げることによりハンドルユニットが掃除機本体から抜き出され、集塵通路になる。
【０００５】
また、手元ハンドルの高さを調節するため、延長管は伸縮できる機構が提案されている。この延長管の伸縮動作は手元ハンドルの握り部に設けたスイッチを操作することで、実現できるものもある。（例えば、特許文献１参照）。
【先行技術文献】
【特許文献】
【０００６】
【特許文献１】特開２００８−８００４２号公報
【発明の概要】
【発明が解決しようとする課題】
【０００７】
従来のアップライト型電気掃除機は、隙間など床面以外の清掃を行う場合、まず、掃除機本体を縦にすることが必要である。これによって、ノズル体を経由する集塵通路が部分的に遮断され、ハンドルユニットからの吸引力が確保される。
【０００８】
次に、片手で手元ハンドルの握り部を保持し、片手でハンドルユニットと掃除機本体とのロックを解除する着脱機構を押しながら、手元ハンドルを引き上げることにより、ハンドルユニットは掃除機本体から引出されて、集塵通路になる。
【０００９】
しかしながら、ハンドルユニットとハンドルユニットを掃除機本体に固定するロックを解除する着脱機構は、手元ハンドルの握り部から離れた位置に設けられたため、ハンドルユニットの取り外しは両手で行わなければならず、使い勝手が良くないという課題がある。
【００１０】
一方、特許文献のような機構を利用すれば課題を解決できそうに見えるが、掃除機本体を持ち上げた時、手元ハンドルの握り部に設けられた、ハンドルユニットとロック部の係
合を解除するための着脱ユニットを誤操作してしまうと、掃除機本体は床面に落下し、利用者がけがをしたり、床面や家具が傷つく恐れがある。
【００１１】
そこで、本発明は、片手でハンドルユニットと掃除機本体との係合を解除できるとともに、誤操作によるハンドルユニットと掃除機本体との係合の誤解除を防ぐことができる電気掃除機を提供することを目的とする。
【課題を解決するための手段】
【００１２】
前記目的を達成するために本発明は、吸引風を発生させる電動送風機と、前記電動送風機で発生された吸引風によって吸引された塵埃を捕集する集塵部と、を有する掃除機本体と、前記掃除機本体の下端に接続されたノズル体と、一端が前記掃除機本体に接続されたホースと、前記ホースの他端に取り付けられ、前記掃除機本体に着脱自在に取り付けられるハンドルユニットと、前記掃除機本体に設けられており、前記ハンドルユニットが前記掃除機本体に取り付けられた際に前記ハンドルユニットと係合し、前記ハンドルユニットを前記掃除機本体に保持するロック部と、前記ハンドルユニットの前記ホース側の端部に設けられており、使用者が保持する手元ハンドルと、前記ハンドルユニットに設けられており、前記ハンドルユニットと前記掃除機本体との係合を解除できる着脱ユニットと、前記着脱ユニットに設けられ、前記手元ハンドルに位置するレバーとを備え、前記掃除機本体に前記ハンドルユニットが取り付けられた状態において、前記レバーを操作することで、前記着脱ユニットが作動し、記延ハンドルユニットと前記ロック部との係合が解除され、さらには、前記掃除機本体と前記延長管との間に引っ張る力が加えられた時、前記着脱ユニットの動作を無効にすることができることを特徴とする電気掃除機である。
【発明の効果】
【００１３】
本発明によれば、使用者は手元ハンドルの握り部を保持する手の指で、手元ハンドルに設置されたレバーを操作することで、ハンドルユニットと掃除機本体との係合を解除することができる。
【００１４】
さらに、ハンドルユニットと掃除機本体との間に引っ張る力が加えられた時、ロック部に設けられたロック解除防止突起と着脱ユニットに設けられた調節バネの働きにより、着脱ユニットの動作を無効にすることができる。このために、掃除機の使い勝手と安全性の向上を図ることができる。
【図面の簡単な説明】
【００１５】
【図１】本発明の実施の形態における電気掃除機の概略構成図
【図２】本発明の実施の形態におけるロック部と着脱ユニットを示す断面図
【図３】ハンドルユニットが掃除機本体に装着された時の、ロック部と着脱ユニットの動作を示す断面図
【図４】ハンドルユニットを掃除機本体から取り出す時の、ロック部と着脱ユニットの動作を示す断面図
【図５】ロック解除防止突起と、ロック解除防止突起作動時調節バネの役割を示す断面図
【発明を実施するための形態】
【００１６】
第１の発明は、吸引風を発生させる電動送風機と、前記電動送風機で発生された吸引風によって吸引された塵埃を捕集する集塵部と、を有する掃除機本体と、前記掃除機本体の下端に接続されたノズル体と、一端が前記掃除機本体に接続されたホースと、前記ホース
の他端に取り付けられ、前記掃除機本体に着脱自在に取り付けられるハンドルユニットと、前記掃除機本体に設けられており、前記ハンドルユニットが前記掃除機本体に取り付けられた際に前記ハンドルユニットと係合し、前記ハンドルユニットを前記掃除機本体に保持するロック部と、前記ハンドルユニットに設けられており、前記ハンドルユニットと前記ロック部との係合を解除する着脱ユニットと、前記着脱ユニットに設けられており、前記ハンドルユニットの握り部付近に位置するレバーと、を備え、前記掃除機本体に前記ハンドルユニットが取り付けられた状態において、前記レバーを操作することによって、前記ハンドルユニットと前記ロック部との係合を解除することを特徴とする電気掃除機である。
【００１７】
本発明によれば、ハンドルユニットの握り部付近に設けられたレバーを操作することで、ハンドルユニットとロック部との係合を解除することが可能である。このため、使用者はハンドルユニットの握り部を保持する手の指で着脱ユニットのレバーを操作してから握り部を引き上げることによって、片手でハンドルユニットを掃除機本体から取り出すことが可能であり、使い勝手が向上する。
【００１８】
第２の発明は、特に、第１の発明の電気掃除機において、前記ロック部にはロック解除防止突起が設けられており、掃除機本体に挿入された前記ハンドルユニットの先端部分を収納するホルダーは前記掃除機本体に固定され、前記ハンドルユニットと前記ロック部と係合された後、前記ハンドルユニットと前記掃除機本体の間に引っ張る力が生じた場合、前記ロック解除防止突起は前記ホルダーと係合になり、前記ロック部の前記ホルダーでの摺動は禁止され、前記着脱ユニットの動作を無効にすることができることを特徴とするものである。
【００１９】
本発明によれば、掃除中或いはハンドルユニットの握り部を持って掃除機本体を運搬する時、掃除機本体とハンドルユニットとの間に引っ張る力が生じ、ロック解除防止突起がホルダーの内壁と係合状態になり、着脱ユニットの動作は無効になる。この時、例え、使用者は不注意で着脱ユニットを操作しても、ハンドルユニットとロック部の係合を解除することができなくなり、安全性を確保することができる。
【００２０】
第３の発明は、特に、第１または第２の発明の電気掃除機の着脱ユニットに関するもので、前記着脱ユニットは、前記レバーと、前記レバーと連動する第１連結部と第２連結部を含んで構成されており、前記第１連結部に所定弾性を有する調節バネが設けられており、前記ロック解除防止突起と前記ホルダーと係合されていない状態において、前記レバーの作動範囲内に、前記着脱ユニットは前記掃除機本体と前記ロック部との係合を解除できる能力を有するとともに、前記ロック解除防止突起と前記ホルダーと係合された状態において、前記調節バネは前記着脱ユニットに加えられた力を吸収し、前記着脱ユニット及び前記ロック部を過剰な外力から保護することができることを特徴とするものである。
【００２１】
したがって、本発明によれば、ハンドルユニットと掃除機本体の間に引っ張る力が生じない場合において、着脱ユニットのレバーを操作すると、ハンドルユニットとロック部との係合がスムーズに解除できる。他方、ハンドルユニットと掃除機本体の間に引っ張る力が生じロック解除防止突起とホルダーと係合状態になった場合において、使用者は無理やりに着脱ユニットを操作しても、着脱ユニットに加えられた過剰な外力は調節バネにより吸収されるため、着脱ユニットとロック部が保護される。
【００２２】
第４の発明は、第１または第２の発明の電気掃除機において、前記ロック部の前記ホルダーでの摺動方向と前記ハンドルユニットの前記ホルダーでの摺動方向と所定角度をなすように構成されており、前記ハンドルユニットと前記掃除機本体の間に引っ張る力が生じた場合、この所定角度は、前記ロック部と前記ホルダーの摺動部の構成上の隙間による生
じた摺動曲線の傾きをカバーでき、前記ロック解除防止突起と前記ホルダーとの係合を確保することができることを特徴とするものである。
【００２３】
第５の発明は、前記レバーに復位バネは取り付けられており、前記復位バネにより前記レバーは常に収納位置へ移動する押し力を受け、この押し力は前記第１連結部を介して、前記第２連結部へ伝達され、前記第２連結部は前記ロック部と接触しない位置関係を維持することを特徴とするものである。
【００２４】
第６の発明は、前記第１連結部に前記調節バネを収納する調節バネカバーを設けられており、前記レバーは収納位置にある時、前記レバーの他端は前記バネカバーの一端と接触する位置関係を有することを特徴とするものである。
【００２５】
以下、本発明の実施の形態について、図面を参照しながら説明する。なお、この実施の形態によって本発明が限定されるものではない。
【実施例】
【００２６】
まず、図１、図２を参照して、この実施の形態に係わるアップライト型電気掃除機の概略構造と、着脱ユニット及びロック部の構造を説明する。
【００２７】
図１はアップライト型電気掃除機１の全体を示している。このアップライト型電気掃除機１は、吸引風を発生させる電動送風機１１０と、吸引風によって吸引された塵埃を捕集する集塵部１２０と、を有する掃除機本体１００と、掃除機本体１００の下端に接続されたノズル体２００と、一端が掃除機本体１００に接続されたホース１３０と、ホース１３０の他端に取り付けられ、掃除機本体１００に着脱自在に取り付けられるハンドルユニット３００と、を備えている。
【００２８】
ＸＺ方向において、前記掃除機本体１００と前記ノズル体２００は、ジョイント２１０を介して、一定の角度になる回転動作ができる。
【００２９】
ハンドルユニット３００は、延長管３１０と手元ハンドル３２０を含み、延長管３１０には手元ハンドル３２０に固定された第１パイプ３１１と、第１パイプ３１１の中で摺動できる第２パイプ３１２と、第１パイプ３１１に固定された伝達機構カバー３１３が設けられている。
【００３０】
第１パイプ３１１には凹部３１１ａが設けられており、ホルダー１４０は掃除機本体１００に固定され、第１パイプ３１１はホルダー１４０の中でＹ１−Ｙ２方向に沿って摺動することができ、ロック部１５０はホルダー１４０の穴部でＸ１−Ｘ２方向に沿って摺動することができる。
【００３１】
ハンドルユニット３００を掃除機本体１００に装着された際、第１パイプ３１１とロック部１５０は凹部３１１ａで係合する。これにより、ハンドルユニット３００が掃除機本体１００に固定され、使用者は手元ハンドルの握り部３２１を保持して、このアップライト型電気掃除機１を操作して床面清掃を行うことができる。
【００３２】
ハンドルユニット３００には、第１パイプ３１１とロック部１５０との係合を解除するための着脱ユニット４００が設けられている。
【００３３】
使用者はこの着脱ユニット４００を操作することにより、ハンドルユニット３００を掃除機本体１００から取り外すことが可能である。
【００３４】
ハンドルユニット３００はホース１３０を経由して、電動送風機１１０とつながっているため、延長管３１０の自由端から塵埃を含んだ空気を吸引することができる。
【００３５】
第２パイプ３１２は第１パイプ３１１の中で摺動できる構造になっているので、第２パイプ３１２を第１パイプ３１１から引き出して多場面の清掃に対応することができる。一般的に、延長管３１０を利用して床面以外の清掃を行う場合、掃除機本体１００を縦にする必要がある。これにより、ノズル体２００を経由する吸引流路が部分的に遮断され、延長管３１０を経由する吸引力が確保される。
【００３６】
このように、本実施例のアップライト型電気掃除機１は、床面清掃時、ハンドルユニット３００を掃除機本体１００に装着し、使用者は手元ハンドル３２０の握り部３２１を保持して床面清掃を行うことができる。
【００３７】
一方、隙間など床面以外の場所を清掃する時は、ハンドルユニット３００を掃除機本体１００から取り出してから、延長管３１０の先端吸引口を利用して清掃を行うことができる。
【００３８】
そして、この実施の形態に係わるアップライト型電気掃除機の第１の特徴としては、片手操作でハンドルユニット３００と掃除機本体１００との係合を解除できる点にある。
【００３９】
着脱ユニット４００は、ハンドルユニット３００の握り部３２１付近に設置されたレバー４１１と、レバー４１１と連動する第１連結部４２０と第２連結部４３０と、を備えている。
【００４０】
ハンドルユニット３００が掃除機本体１００に装着された時、握り部３２１を保持する手の指でレバー４１１を操作すると、レバー４１１の動きは第１連結部４２０と第２連結部４３０を介して、ロック部１５０に伝達され、第１パイプ３１１とロック部１５０との係合を解除する動きが発生する。このため、使用者は手元ハンドルを持ち上げることによってハンドルユニットを掃除機本体から取り出すことは可能であり、使い勝手の向上を図ることができる。
【００４１】
また、この実施の形態の第２の特徴としては、前記着脱ユニット４００の誤作動を防ぐ構造を有する点にある。
【００４２】
ロック部１５０にロック解除防止突起１５ａが設けられ、ホルダー１４０の穴部でのロック部１５０の摺動方向Ｘ１−Ｘ２とホルダー１４０での前記延長管３１０の摺動方向Ｙ１−Ｙ２と所定角度αになすように構成されている。
【００４３】
掃除機本体１００と延長管３１０との間に引っ張る力が生じた時に、ロック解除防止突起１５ａとホルダー１４０の内壁と係合され、レバー４１１の動作を無効にすることができる。
【００４４】
これにより、掃除中或いは手元ハンドル３２０を持って掃除機を運搬する時、掃除機本体１００と延長管３１０との間に引っ張る力が生じるので、ロック解除防止突起１５ａとホルダー１４０が係合され、誤作動でレバー４１１を操作しても、延長管３１０とホルダー１４０との間の固定を解除できなくなり、電気掃除機の使用安全性が確保できる。
【００４５】
また、この実施の形態のもうひとつの特徴としては、着脱ユニット４００とロック部１５０を過剰な外力から保護できる構造になっている点にある。
【００４６】
着脱ユニット４００はレバー４１１と、レバー４１１と連動する第１連結部４２０と第２連結部４３０と、を含んでいる。
【００４７】
第１連結部４２０に設けられた調節バネ４２１は所定の弾性を有し、この弾性はロック解除防止突起１５ａとホルダー１４０の内壁と係合されてない場合、レバー４１１の作動範囲に前記ハンドルユニット３００とロック部１５０との間の係合を解除できる能力を有するとともに、ロック解除防止突起１５ａとホルダー１４０内壁と係合状態になった場合、調節バネ４２１はレバー４１１に加えられた力を吸収し、着脱ユニット４００及びロック部１５０を保護する能力を有する。
【００４８】
したがって、ロック解除防止突起１５ａとホルダー１４０の内壁と係合されてない時、レバー４１１を操作することで、ハンドルユニット３００とロック部１５０との間の係合をスムーズに解除できる。
【００４９】
一方、ハンドルユニット３００と掃除機本体１００との間に引っ張る力が生じロック解除防止突起１５ａとホルダー１４０の内壁と係合状態になった場合、この時、無理やりにレバーを動かしたら、調節バネ４２１は着脱ユニット４００に伝達された力を吸収し、着脱ユニット４００とロック部１５０を保護することができる。
【００５０】
以下、図３から図５を参照して、この実施の形態に関する着脱ユニット及びロック部の構造を詳細に説明する。
【００５１】
まず、図３を参照して、ハンドルユニットを掃除機本体に装着された時、ロック部と着脱ユニットの状態を説明する。
【００５２】
この実施の形態では、第１パイプ３１１は方向性を持った断面形状を有し、第１パイプ３１１を収納するホルダー１４０は方向性のある断面形状を有し、第１パイプ３１１を内包できる内部断面形状を有する。このため、第１パイプ３１１は所定の方向のみでホルダー１４０に挿入することができる。
【００５３】
ハンドルユニット３００を掃除機本体１００に装着する際、第１パイプ３１１はホルダー１４０の内壁に沿って、ロック部１５０の斜面１５ｂを押しながら、ホルダー１４０の奥へ進んでいく。
【００５４】
第１パイプ３１１の凹部３１１ａはロック部１５０を通り過ぎた瞬間、ロックバネ１５１の働きにより、第１パイプ３１１とロック部１５０と係合状態になる。このため、ハンドルユニット３００と掃除機本体１００はＹ１方向においての動きが制限される。
【００５５】
さらに、この時、第１パイプ３１１の外側に固定された伝達機構カバー３１３の挿入制限端部３１３ａは、ホルダー１４０の支持部１４ａと近い位置関係になったので、ハンドルユニット３００と掃除機本体１００はＹ２方向においての動きも制限される。
【００５６】
したがって、ハンドルユニット３００と掃除機本体１００の位置が特定され、係合状態を取ることができる。使用者は前記手元ハンドル３２０の握り部３２１を保持して、床面掃除を行うことができる。
【００５７】
第２連結部は調節バネ４２１と、調節バネ４２１を収納する調節バネカバー４２２と、調節バネカバー４２２に固定された伝達棒４２３と、を備えており、レバー４１１と調節バネ４２１の連結部は回転できる構造になっており、第２連結部４３０に設けられた伝達板４３１は、回転軸４３２を中心として回転でき、伝達棒４２３と伝達板４３１の連結部
は回転できる構造になっている。
【００５８】
ハンドルユニット３００は掃除機本体１００に装着された場合、着脱ユニット４００に関しては、復位バネ４１２はＹ２方向における押し力が働き、この押し力はレバー４１１のアーム４１ａと、調節バネカバー４２２と、伝達棒４２３と、を介して、第２連結部４３０へ伝達される。
【００５９】
このため、第２連結部４３０の伝達板４３１は回転軸４３２を中心として反時計回りの動きが生じ、伝達板４３１と水平方向と所定の角度β１になり、伝達板４３１は前記ロック部１５０と常に接触しない位置関係を維持するようになる。
【００６０】
次に、図４を参照して、第１パイプとロック部との係合を解除する動作原理を説明する。
【００６１】
Ｙ１方向に沿ってレバー４１１を引っ張る時、この引っ張る力は調節バネ４２１と、伝達棒４２３とを経由し、第２連結部４３０へ伝達される。この時、伝達板４３１は回転軸４３２を中心として時計回りの回転動作が生じる。この回転動作により伝達板４３１の先端はロック部１５０の斜面１５ｂと接触して、レバー４１１に加えた引っ張る力はロック部１５０を押す力（ロックバネ１５１短縮方向）に変換される。
【００６２】
調節バネ４２１の弾性はレバー４１１の可動範囲Ｌ内で第１パイプ３１１とロック部１５０との係合を解除できるように調整しているため、ロック部１５０はＸ１（図２）方向に沿って移動される。伝達板４３１と水平方向との角度がβ２になった時、ロック部１５０は完全に第１パイプ３１１の凹部３１１ａから押し出され、第１パイプ３１１とホルダー１４０との係合が解除される。
【００６３】
延長管３１０先端の吸引口を利用して、隙間などの床面以外の清掃を行う場合、まず、掃除機本体１００を縦にする。これによりノズル体２００を経由する流路が部分的に遮断され、延長管３１０からの吸引力が確保される。次に、ハンドルユニット３００の握り部３２１を保持する手の指でレバー４１１を操作してから、握り部３２１を引き上げることにより、片手操作でハンドルユニット３００を容易に掃除機本体１００から取り出すことができる。
【００６４】
次に、図５を参照して、ロック解除防止突起の役割と、ロック解除防止突起作動時の調節バネの役割を説明する。
【００６５】
ハンドルユニット３００を掃除機本体１００に装着された後、ハンドルユニット３００と掃除機本体１００との間に引っ張る力が生じた場合、ロック部１５０は第１パイプ３１１の凹部３１１ａからの引き上げ力を受けて上方へ移動する。その結果、ロック部１５０に設けられたロック解除防止突起１５ａがホルダー１４０の内壁と係合になり、ロック部１５０のＸ１（図２）方向への摺動は制限される。
【００６６】
この時、レバー４１１を引っ張ると、伝達板４３１はその先端部と斜面１５ｂと接触した後動きが止まり、調節バネ４２１は調節バネカバー４２２内部で引っ張る力に応じて伸縮する。
【００６７】
調節バネ４２１の弾性はレバー４１１の可動範囲Ｌ内で着脱ユニット４００とロック部１５０を破壊しないように調整しているため、引っ張る力から着脱ユニット４００とロック部１５０を保護することができる。
【産業上の利用可能性】
【００６８】
本発明は、特に手元ハンドルの高さが調節できるアップライト掃除機において利用可能であり、本発明を利用することにより、使用者の不注意によりハンドルユニットとロック部の係合を誤解除することを防ぐことができる。
【符号の説明】
【００６９】
１…アップライト型電気掃除機
１００…掃除機本体
１１０…電動送風機
１２０…集塵部
１３０…ホース
１４０…ホルダー
１４ａ…支持部
１５０…ロック部
１５１…ロックバネ
１５ａ…ロック解除防止突起
１５ｂ…斜面
２００…ノズル体
２１０…ジョイント
３００…ハンドルユニット
３１０…延長管
３１１…第１パイプ
３１１ａ…凹部
３１２…第２パイプ
３１３…伝達機構カバー
３１３ａ…挿入制限端部
３２０…手元ハンドル
３２１…握り部
４００…着脱ユニット
４１１…レバー
４１ａ…アーム
４１２…復位バネ
４２０…第１連結部
４２１…調節バネ
４２２…調節バネカバー
４２３…伝達棒
４３０…第２連結部
４３１…伝達板
４３２…回転軸
【図１】
2014223109.tif 000003
【図２】
2014223109.tif 000004
【図３】
2014223109.tif 000005
【図４】
2014223109.tif 000006
【図５】
2014223109.tif 000007